(57)【要約】【課題】郵便物から簡単に無線タグを剥がすことができ、配達効率の向上が期待できる無線タグ付きラベルを提供すること。【解決手段】台紙Ｄに貼付された状態で保管され、郵便物Ｙの受付け時に台紙から剥がされて上記郵便物Ｙに貼付される無線タグ付きラベル１０において、上記台紙から剥がされて郵便物Ｙに貼付されるラベル本体１１と、上記ラベル本体に貼付される無線タグ１２とを具備し、上記郵便物と上記ラベル本体との接着力を第１の接着力Ｐ１とし、上記ラベル本体と上記無線タグとの接着力を第２の接着力Ｐ２とし、上記台紙と上記ラベル本体との接着力を第３の接着力Ｐ３としたとき、上記第１の接着力Ｐ１と第２の接着力Ｐ２と第３の接着力Ｐ３が、第３の接着力Ｐ３＜第２の接着力Ｐ２＜第１の接着力Ｐ１の関係を満たす。【選択図】      図２
2005258905.tif 000002
【特許請求の範囲】
【請求項１】
台紙に貼付された状態で保管され、適時台紙から剥がされて貼付対象物に貼付される無線タグ付きラベルにおいて、
上記台紙から剥がされて貼付対象物に貼付されるラベル本体と、
上記ラベル本体に貼付される無線タグと、
を具備し、
上記貼付対象物と上記ラベル本体との接着力を第１の接着力とし、
上記ラベル本体と上記無線タグとの接着力を第２の接着力とし、
上記台紙と上記ラベル本体との接着力を第３の接着力としたとき、
上記第１の接着力と第２の接着力と第３の接着力が、第３の接着力＜第２の接着力＜第１の接着力の関係を満たすことを特徴とする無線タグ付きラベル。
【請求項２】
上記ラベル本体から上記無線タグを剥がしたとき、上記無線タグに粘着性が残留しないことを特徴とする請求項１記載の無線タグ付きラベル。
【発明の詳細な説明】
【技術分野】
【０００１】
本発明は、例えば郵便物の受付け時に台紙から剥がされて郵便物に貼り付けられる郵便物追跡管理用の無線タグ付きラベルに関する。
【背景技術】
【０００２】
近年、固有のＩＤ（ＲＦＩＤ）が設定されるとともに情報の書換可能なメモリエリアを有し、無線を利用して非接触でＩＤの読出しや任意の情報の書込み及び読出しができるデータキャリア、いわゆる無線タグが注目されている。
【０００３】
例えば従来、書留郵便や小包郵便等の記録扱い郵便物（以下、「郵便物」と称する。）に使用される封筒にそれぞれ無線タグを貼付し、この無線タグに当該タグが貼付された封筒に対して設定された追跡管理用コードを書込んで記憶させるとともに、郵便物の引受から配達までの各拠点に無線タグ読取装置をそれぞれ設置し、各拠点において、それぞれ封筒に貼付された無線タグから追跡管理用コードを読取り、情報センターに通知することによって、郵便物の一元的な記録管理と迅速な追跡とを可能とするシステムが提案されている。
【０００４】
このシステムでは、無線タグが高価であることや、産業廃棄物となることから、配達完了時に無線タグを封筒から剥がして持ち帰り、リサイクルすることを想定している。そのため、無線タグを封筒に対して剥離可能に貼り付ける必要がある。リサイクル可能な無線タグの貼り付け方として、封筒にラベルを貼り付け、このラベルの上に無線タグを剥離材を介して貼り付ける方法が開示されている（例えば、特許文献１参照。）。
【特許文献１】特開２００２−２１１１７０号公報
【発明の開示】
【発明が解決しようとする課題】
【０００５】
しかしながら、従来の無線タグ付きラベルでは、ラベルと無線タグの接着力によっては、ラベルから無線タグをうまく剥がせないことがある。無線タグがうまく剥がれないからといって、強い力で無線タグを剥がそうとすると、封筒を破いてしまうことも起こり得る。そのため、郵便配達人は極めて慎重に無線タグを剥がす必要があり、配達における作業効率が低下する可能性がある。
【０００６】
本発明は、上記事情を鑑みてなされたものであって、その目的とするところは、貼付対象物から簡単に無線タグを剥がすことができ、作業効率の向上が期待できる無線タグ付きラベルを提供することにある。
【課題を解決するための手段】
【０００７】
上記課題を解決し目的を達成するために、本発明の無線タグ付きラベルは台紙から剥がされて貼付対象物、例えば郵便物に貼付されるラベル本体と、このラベル本体に貼付される無線タグとを備え、貼付対象物とラベル本体との接着力を第１の接着力とし、ラベル本体と無線タグとの接着力を第２の接着力とし、台紙とラベル本体との接着力を第３の接着力としたとき、第１の接着力と第２の接着力と第３の接着力が、第３の接着力＜第２の接着力＜第１の接着力の関係を満たすものである。
【発明の効果】
【０００８】
本発明によれば、貼付対象物に貼り付けられた状態から無線タグだけを容易に剥すことができ、作業効率を向上できる無線タグ付ラベルを提供できる。
【発明を実施するための最良の形態】
【０００９】
以下、図面を参照しながら本発明を実施するための最良の形態について説明する。
【００１０】
なお、この実施の形態は、貼付対象物として郵便物に貼付される無線タグ付きラベルに本発明を適用した場合である。
【００１１】
図１は郵便物Ｙ上に貼付された無線タグ付きラベル１０の斜視図、図２は郵便物Ｙに貼付された無線タグ付きラベル１０の側面図である。
【００１２】
図１と図２に示すように、この無線タグ付きラベル１０は、郵便物Ｙに貼付され、バーコード等を印字するラベル本体１１と、ラベル本体１１に貼付され、固有のＩＤ（情報）を記憶させる無線タグ１２とから構成されている。
【００１３】
郵便物Ｙとラベル本体１１は、第１の接着材１３により第１の接着力Ｐ１で接着されている。また、ラベル本体１１と無線タグ１２は、第２の接着材１４により第２の接着力Ｐ２で接着されている。第１の接着材１３と第２の接着材１４の素材は、第２の接着力Ｐ２＜第１の接着力Ｐ１を満たすように決められる。
【００１４】
このため、無線タグ１２を掴んで郵便物Ｙから引き離そうするだけで、無線タグ１２だけを簡単に剥がすことができる。なお、本実施の形態では、第２の接着材１４として、いわゆる感圧接着材を用いている。
【００１５】
図３は台紙Ｄ上に貼付された無線タグ付きラベル１０の斜視図、図４は台紙Ｄに貼付された無線タグ付きラベル１０の側面図である。
【００１６】
図３と図４に示すように、上記構成の無線タグ付きラベル１０は、台紙Ｄに貼付された状態で郵便局窓口などに保管される。この台紙Ｄはロール状に巻かれており、ラベル本体１１が貼付される表面には樹脂コーティングがなされている。
【００１７】
台紙Ｄとラベル本体１１は、第１の接着材１３により第３の接着力Ｐ３で接着されている。すなわち、台紙Ｄとラベル本体１１は、郵便物Ｙとラベル本体１１の接着に用いた第１の接着材１３により接着されている。しかしながら、台紙Ｄの表面には樹脂コーティングを施されているため、第１の接着力Ｐ１と第３の接着力Ｐ３の関係は、第３の接着力Ｐ３＜第１の接着力Ｐ１となる。
【００１８】
郵便物Ｙ、ラベル本体１１、無線タグ１２、台紙Ｄの間の接着力の関係をまとめると、第１の接着力Ｐ１、第２の接着力Ｐ２、第３の接着力Ｐ３には、第３の接着力Ｐ３＜第２の接着力Ｐ２＜第１の接着力Ｐ１の関係がある。
【００１９】
次に、上記構成の無線タグ付きラベル１０を使用する際の作用について説明する。
【００２０】
郵便局窓口で郵便物Ｙを受付けたら、台紙Ｄから無線タグ付きラベル１０を剥がし、郵便物Ｙに貼り付ける。そして、無線タグ１２に記憶されているＩＤをリーダライターで読取り、読取ったＩＤを郵便物Ｙの郵便情報と対応させてメインコンピュータに記録する。なお、郵便情報には、伝票番号、届け先、依頼主、および品名などがある。
【００２１】
郵便局窓口で受付けた郵便物Ｙは、決められた時間になったら、まとめて配送センターに配送される。配送センターでは、到着した郵便物Ｙの無線タグ１２のＩＤをリーダライターで読取って郵便物Ｙの到着を確認するとともに、読取ったＩＤに基づいて郵便物Ｙを地域配送センターごとに仕分けする。そして、地域センターへの出荷をメインコンピュータに記録し、郵便物Ｙを配送する。
【００２２】
各地域センターでは、到着した郵便物Ｙの無線タグ１２のＩＤをリーダライターで読取って郵便物Ｙの到着を確認するとともに、読取ったＩＤに基づいて郵便物Ｙを配送先ごとに仕分けする。そして、各配送先への出荷をメインコンピュータに記録し、郵便物Ｙを配送する。
【００２３】
各配送先では、配達した郵便物Ｙの無線タグ１２のＩＤをリーダライターで読取って郵便物Ｙの配達完了を確認するとともに、無線タグ１２をラベル本体１１から剥がす。このとき、郵便物Ｙとラベル本体１１の接着力が、ラベル本体１１と無線タグ１２の接着力よりも強いため、無線タグ１２を掴んで郵便物Ｙから引き離せば、簡単に無線タグ１２を剥がすことができる。
【００２４】
ラベル本体１１から剥がされた無線タグ１２は、郵便配達人によって集められ、新しい無線タグ付きラベル１０にリサイクルされる。
【００２５】
上記構成の無線タグ付きラベル１０によれば、無線タグ１２とラベル本体１１の接着力をラベル本体１１と郵便物Ｙの接着力よりも小さくしている。そのため、無線タグ１２を掴んで郵便物Ｙから引き離すだけで、無線タグ１２だけを郵便物Ｙから剥がせるから、配達における作業効率を向上させることができる。
【００２６】
しかも、ラベル本体１１と無線タグ１２の接着に感圧接着材を用いている。そのため、ラベル本体１１から無線タグ１２を剥がしたときに、ラベル本体１１や無線タグ１２に接着材による粘着性が残留することがないから、回収した後の無線タグ１２の取り扱いが簡単になり、さらに郵便物Ｙの受取人が粘着性によって不快感を感じることがない。
【００２７】
また、多数の無線タグ付きラベル１０を台紙Ｄに貼り付けた状態で郵便窓口等に保管している。そのため、郵便物Ｙの受付け作業を効率良く行うことができる。
【００２８】
なお、本発明は、上記実施形態そのままに限定されるものではなく、実施段階ではその要旨を逸脱しない範囲で構成要素を変形して具体化できる。例えば、貼付対象物としては宅配業者によって配達される荷物等であってもよい。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２９】
【図１】郵便物上に貼付された無線タグ付きラベルの斜視図。
【図２】郵便物に貼付された無線タグ付きラベルの側面図。
【図３】台紙上に貼付された無線タグ付きラベルの斜視図。
【図４】台紙に貼付された無線タグ付きラベルの側面図。
【符号の説明】
【００３０】
１０…無線タグ付きラベル（貼付対象物）、１１…ラベル本体、１２…無線タグ、Ｙ…郵便物、Ｄ…台紙、Ｐ１…第１の接着力、Ｐ２…第２の接着力、Ｐ３…第３の接着力。
【図１】
2005258905.tif 000003
【図２】
2005258905.tif 000004
【図３】
2005258905.tif 000005
【図４】
2005258905.tif 000006